(57)【要約】【課題】設定値情報の漏洩を簡単に判定する。【解決手段】本システム５０を、遊技店舗内において遊技者による所定操作で稼働するスロットマシン１０毎に取り付けられ、取り付けたスロットマシン１０の稼働状態を検知して対応した稼働状態信号を出力する外部集中端子板２７と、稼働状態信号を取り付けたスロットマシン１０毎に対応させて格納するＤＢサーバ１５と、設定値情報を、設定したスロットマシン１０毎に対応させて格納する設定値情報格納手段１７と、格納された稼働状態信号および設定値情報に基づき、設定値情報が遊技者へ漏洩されているか否かを判定する漏洩判定手段１８と、を備えて構成する。【選択図】図２
2008220432.tif 000002
【特許請求の範囲】
【請求項１】
遊技店舗内において遊技者による所定操作で稼働する遊技機毎に取り付けられ、取り付けた遊技機の稼働状態を検知して対応した稼働状態信号を出力する稼働状態信号検出手段と、
稼働状態信号を、取り付けた遊技機毎に対応させて格納する稼働状態信号格納手段と、
当たり確率の高低を表す設定値を含む設定値情報を、設定した遊技機毎に対応させて格納する設定値情報格納手段と、
格納された稼働状態信号および設定値情報に基づき、設定値情報が遊技者へ漏洩されているか否かを判定する漏洩判定手段と、を備えてなる、
ことを特徴とする設定値情報漏洩判定システム。
【請求項２】
漏洩判定手段は、
設定値毎に区分して遊技機の稼働台数を求めるとともに、求めた稼働台数の総和を求め、その総和に対するそれぞれの稼働台数の割合を設定値毎の遊技機稼働率として算出する稼働率算出手段と、
設定値毎に区分して遊技機の割当台数を求めるとともに、求めた割当台数の総和を求め、その総和に対するそれぞれの割当台数の割合を設定値毎の台数割当率として算出する割当率算出手段と、を備え、
選択した設定値における遊技機稼働率と台数割当率との大小を比較し、遊技機稼働率が大きい場合に、設定値情報が遊技者へ漏洩されていると判定する、
請求項１に記載の設定値情報漏洩判定システム。
【発明の詳細な説明】
【技術分野】
【０００１】
本発明は、店舗内に設置され、当たり確率の高低を表す設定値が設定されるパチンコ機やスロットマシン等の遊技機について、設定値情報が遊技者へ漏洩されているか否かを判定する設定値情報漏洩判定システムに関する。
【背景技術】
【０００２】
従来、遊技機の設定値を管理する技術として、例えば、特許文献１に記載されたものが開示されている。この技術は、遊技機のハーネス等に固定された非接触型電流センサの出力に基づいて、当たり確率の設定値を管理するように構成されている。この技術によれば、遊技機の当たり確率の不正な設定変更や、誤設定を検出することができる。
【０００３】
【特許文献１】特開２００６−０００４５８号公報
【発明の開示】
【発明が解決しようとする課題】
【０００４】
しかし、遊技機毎に設定された設定値を知り得る立場にある者が、外部の者に漏らした場合、店舗内の遊技機について不正な設定変更が行われないにも関わらず、当たり確率の高い設定値の遊技機が稼働することになる。すなわち、特許文献１の技術では、店舗ぐるみの遊技者による不正行為が行われているか否かを管理することはできない点で問題があった。
【０００５】
そこで、上記問題点に鑑み、設定値情報の漏洩を簡単に判定できる設定値情報漏洩判定システムの提供を課題とする。
【課題を解決するための手段】
【０００６】
上記課題を解決するため、請求項１の発明に係る設定値情報漏洩判定システムは、遊技店舗内において遊技者による所定操作で稼働する遊技機毎に取り付けられ、取り付けた遊技機の稼働状態を検知して対応した稼働状態信号を出力する稼働状態信号検出手段と、稼働状態信号を、取り付けた遊技機毎に対応させて格納する稼働状態信号格納手段と、当たり確率の高低を表す設定値を含む設定値情報を、設定した遊技機毎に対応させて格納する設定値情報格納手段と、格納された稼働状態信号および設定値情報に基づき、設定値情報が遊技者へ漏洩されているか否かを判定する漏洩判定手段と、を備えて構成される。
【０００７】
請求項２の発明に係る設定値情報漏洩判定システムは、漏洩判定手段が、設定値毎に区分して遊技機の稼働台数を求めるとともに、求めた稼働台数の総和を求め、その総和に対するそれぞれの稼働台数の割合を設定値毎の遊技機稼働率として算出する稼働率算出手段と、設定値毎に区分して遊技機の割当台数を求めるとともに、求めた割当台数の総和を求め、その総和に対するそれぞれの割当台数の割合を設定値毎の台数割当率として算出する割当率算出手段と、を備え、選択した設定値における遊技機稼働率と台数割当率との大小を比較し、遊技機稼働率が大きい場合に、設定値情報が遊技者へ漏洩されていると判定するように構成される。
【０００８】
ここで、「格納」とは、信号および情報を、所定のデータ形式で所定の記憶領域に記憶することをいう。また「記憶」は、中継的に記憶する形態を含むものとする。
【発明の効果】
【０００９】
請求項１、２の発明によれば、遊技機を追加工することなく、稼働状態信号検出手段を非接触で容易に取り付けることができ、設定値情報の漏洩を簡単に判定できる。
【発明を実施するための最良の形態】
【００１０】
以下、本発明に係る実施の一形態を図面に基づいて説明する。図１は遊技機の一例として前扉を閉めた状態を示すスロットマシンの正面図、図２は前扉を開いた状態のスロットマシンに対して、稼働状態信号検出手段としての子機１２を取り付けた状態を示す取付説明図である。
【００１１】
図１及び図２中、１０はスロットマシンである。このスロットマシン１０は、本体１１と、この本体１１の前面片側に開閉可能に取り付けられた前扉９とを備えている。本体１１には、遊技者による所定操作で稼働するスロットマシンの稼働状態を検知して対応した稼働状態信号を出力する外部集中端子板２７が配設されている。外部集中端子板２７の複数の端子から出力される各種信号は、何れも稼働状態信号として使用可能であるが、これらの端子のうち選択した一の端子から出力される信号を稼働状態信号として使用するものとする。
【００１２】
子機１２は、外部集中端子板２７から出力された稼働状態信号を書き込むと共に読み出し可能に一時的に格納する一時格納手段２８を備えて構成されている。外部集中端子板２７から出力された稼働状態信号は、信号線４３を介して、子機１２の一時格納手段２８に入力され格納される。また、子機１２は、稼働状態信号と取り付けたスロットマシン１０の台番号とを加工して所定のシリアルデータで読み出し可能に構成されている。
【００１３】
図３は本発明に係る遊技機の設定値漏洩判定システムの実施の一形態を示すシステム構成図である。本システム５０は、本部及び店舗Ａ〜Ｎからなる遊技店グループに導入されている。店舗Ｎでは、所定エリアである店舗内のいわゆる島を群として、１〜ｎ群に設置された全スロットマシン１０のそれぞれに子機１２が取り付けられている。
【００１４】
１群には台番号１／１〜１／ａの子機１２が、２群には台番号２／１〜２／ｂの子機１２が、ｎ群には台番号ｎ／１〜ｎ／ｃの子機１２が、それぞれ対応するスロットマシン１０に取り付けられている。各群の子機１２は、それぞれの親機１３に、相互通信可能に接続されている（ａ，ｂ，ｃ，ｎ，Ｎは任意の整数）。また、店舗内は、イーサネット（登録商標）接続方式が採用され、いわゆるＬＡＮが構築されている。各群の親機１３は、通信要求のあった子機１２から読み出したシリアルデータを、イーサネット仕様のデータ形式に変換して格納可能に構成されている。また各群の親機１３は、ハブ１４を介して、稼働状態信号格納手段としてのＤＢサーバ１５にＬＡＮ接続され、格納されたシリアルデータをＤＢサーバ１５へ転送可能に構成されている。
【００１５】
ＤＢサーバ１５は、稼働状態信号を台番号とともに上述のシリアルデータとして受信し、取り付けたスロットマシン毎に対応させて格納可能に構成されている。また、ＤＢサーバ１５は、情報端末としての本部ＰＣ１６に、ＶＰＮ（Ｖｉｒｔｕａｌ  Ｐｒｉｖａｔｅ  Ｎｅｔｗｏｒｋ）４０を介して相互通信可能に接続されている。本部ＰＣ１６には、店舗Ａ〜Ｎ毎において、基準となる設定値を含む設定値情報を、設定したスロットマシン１０毎に対応させて予め格納する設定値情報格納手段１７が設けられている。設定値情報格納手段１７には、本部の指示によって最新の設定値が逐次入力され格納される。設定値情報格納手段１７の設定値は、各店舗Ａ〜Ｎのスロットマシン１０について設定値を変更指示する際の基準となる。また本システム５０における各店舗Ａ〜Ｎでは、本部の指示によって、設定値情報格納手段１７に格納された基準の設定値と同一となるように各スロットマシン１０の設定値が日常的に変更操作され設定される。
【００１６】
また本部ＰＣ１６には、ＤＢサーバ１５に格納された子機１２の稼働状態信号及び設定値情報格納手段１７に格納された設定値情報に基づいて、設定値情報がスロットマシン１０の遊技者へ漏洩されているか否かを判定する漏洩判定手段１８が一体的に設けられている。
【００１７】
漏洩判定手段１８は、設定値「１」〜「６」毎に区分してスロットマシン１０の稼働台数Ｐ１〜Ｐ６を求めるとともに、求めた稼働台数の総和Ｑを求め、その総和に対するそれぞれの稼働台数の割合を設定値「１」〜「６」毎の遊技機稼働率Ｒ１〜Ｒ６として算出する稼働率算出手段２２と、設定値「１」〜「６」毎に区分してスロットマシン１０の割当台数Ｔ１〜Ｔ６を求めるとともに、求めた割当台数の総和Ｕを求め、その総和に対するそれぞれの割当台数の割合を設定値「１」〜「６」毎の台数割当率Ｖ１〜Ｖ６として算出する割当率算出手段２３と、を備えて構成されている。
【００１８】
次に、本システム５０の諸動作を説明する。
開店時間となって店舗内に入店した遊技者は、各自が選択したスロットマシン１０において、一連の所定の遊技操作を行い遊技を始める。この時、本システム５０は、稼働状態信号の格納手順を開始する（図４、Ｓ１）。外部集中端子板２７では、一連の遊技操作を検知して（図４、Ｓ１−１）稼働状態信号を出力し、出力された稼働状態信号を一時格納手段２８に格納する（図４、Ｓ１−２）。稼働状態信号の格納と同時に親機１３に対して通信要求信号を出力し、子機１２から読み出され出力された稼働状態信号を含んでなるシリアルデータを親機１３に格納する（図４、Ｓ１−３）。そして、親機１３で所定のデータ形式に変換されたシリアルデータをＤＢサーバ１５に格納する（図４、Ｓ１−４）。店舗内において遊技が開始された全てのスロットマシンから、稼働状態信号がシリアルデータでスロットマシン毎に区分けされＤＢサーバ１５に格納される。そして、開店時間から所定の経過時間まで、Ｓ１を繰り返す。
【００１９】
一方、本部ＰＣ１６では、設定値情報の漏洩判定手順が開始される（図５、Ｓ２）。ＤＢサーバ１５にスロットマシン１０毎に格納されたシリアルデータをＶＰＮ４０を介して本部ＰＣ１６に格納する（図５、Ｓ２−１）。また、設定値情報格納手段１７に格納された設定値情報を本部ＰＣ１６に格納する（図５、Ｓ２−２）。そして、開店時間から所定時間の経過時までの間、所定の間隔をおいて、本部ＰＣ１６では、漏洩判定手段１８の稼働率算出手段２２によって設定値毎の遊技機稼働率が算出されるとともに、割当率算出手段２３によって設定値毎の台数割当率が算出される。尚、稼働率算出手段２２は、開始時間から所定時間の経過前であっても、求めた稼働台数の総和が割当台数の総和と少なくとも等しくなる前に終了するものとする。
【００２０】
稼働率算出手段２２は、稼働状態信号を格納した台番号のスロットマシンが稼働しているもの、すなわち遊技者による遊技操作中であるものと判断する。稼働率算出手段２２は、稼働状態信号および設定値情報に基づき、店舗Ｎ内において、例えば、設定値「１」の稼働台数Ｐ１が２台、設定値「２」の稼働台数Ｐ２が３台、設定値「３」の稼働台数Ｐ３が５台、設定値「４」の稼働台数Ｐ４が７台、設定値「５」の稼働台数Ｐ５が５台、設定値「６」の稼働台数Ｐ６が３台、を集計して求め、求めた稼働台数の総和Ｑとして２５台を求める。さらに、その稼働台数の総和Ｑ２５台に対するそれぞれの稼働台数の割合を設定値毎の遊技機稼働率として、設定値「１」の遊技機稼働率Ｒ１＝０．０８、設定値「２」の遊技機稼働率Ｒ２＝０．１２、設定値「３」の遊技機稼働率Ｒ３＝０．２０、設定値「４」の遊技機稼働率Ｒ４＝０．２８、設定値「５」の遊技機稼働率Ｒ５＝０．２０、設定値「６」の遊技機稼働率Ｒ６＝０．１２を算出する（図５、Ｓ２−３）。
【００２１】
また割当率算出手段２３は、設定値「１」の割当台数Ｔ１が３台、設定値「２」の割当台数Ｔ２が５台、設定値「３」の割当台数Ｒ３が１７台、設定値「４」の割当台数Ｔ４が１７台、設定値「５」の割当台数Ｔ５が５台、設定値「６」の割当台数Ｔ６が３台、を集計して求め、求めた割当台数の総和Ｕとして５０台を求める。さらに、その割当台数の総和Ｕ５０台に対するそれぞれの割当台数の割合を設定値毎の台数割当率として、設定値「１」の台数割当率Ｖ１＝０．０６、設定値「２」の台数割当率Ｖ２＝０．１０、設定値「３」の台数割当率Ｖ３＝０．３４、設定値「４」の台数割当率Ｖ４＝０．３４、設定値「５」の台数割当率Ｖ５＝０．１０、設定値「６」の台数割当率Ｖ６＝０．０６を算出する（図５、Ｓ２−４）。
【００２２】
そして、選択した設定値「６」における遊技機稼働率Ｒ６（＝０．１２）と台数割当率Ｖ６（＝０．０６）とのを大小を比較し（図５、Ｓ２−５）、遊技機稼働率Ｒ６が台数割当率Ｖ６よりも大きいことから、設定値情報が不特定の遊技者へ漏洩されているものと判定する。この判定の場合、本部ＰＣ１６のモニタに警報表示し（図５、Ｓ２−６）、注意・準備を本部従業員に促す。本部従業員は、警報表示の後、本部ＰＣ１６の所定操作によって、警報発信元の店舗名等を表示させ、迅速に対応する。一方、両者の大小が略生じていない場合は、設定値情報が遊技者へ漏洩されていないものと判定し、経過時間までか、または稼働台数が所定台数になるまで継続する（図５、Ｓ２−７）。
【００２３】
上記システム５０によれば、遊技機を追加工することなく、稼働状態信号検出手段を非接触で容易に取り付けることができ、設定値情報の漏洩を簡単に判定できる。
【００２４】
尚、本発明は上記実施形態に限定されるものではなく、以下列挙するように、本発明の趣旨を逸脱しない範囲で各部の形状並びに構成を適宜に変更して実施することも可能である。
（１）本システムは、設定値情報を利用するものであればスロットマシンに限らず、パチンコ機等の他の遊技機に適用することが可能である。
（２）稼働状態信号検出手段は、稼働状態が検出できれば外部集中端子板に限らず、非接触電流センサ等を用いて稼働状態信号を出力するように構成しても良い。例えば、非接触電流センサは、設定値やクレジットを表示する７セグメント表示装置と表示制御する制御基板との間のハーネスにクランプして稼働状態を検出し稼働状態信号を出力可能である。
（３）本システムは、一般公衆回線を利用したＶＰＮに限らず、専用線等のクローズド回線を用いてＤＢサーバと本部ＰＣとを接続して構成しても良い。さらに、クローズド回線にＶＰＮを設けても良い。もちろん、セキュリティ性が皆無となる開放された公衆回線を介して接続して構成できる。
（４）本状態信号検出装置は、設定値が１〜６の値であるスロットマシンに限らず、設定値が１，２や１，６等の他の値からなるスロットマシンにも適用可能である。ただし、この場合、変更後の設定値を算出する手順等を、所定の手順に変更することが必要となる。
（５）漏洩判定手段は、ＤＢサーバに設けて構成しても良い。また、漏洩判定手段は、本部ＰＣ及びＤＢサーバの両方に設け選択的に使用可能に構成することも可能である。この場合も、本部ＰＣで行う場合と同様の作用効果を得ることができる。
（６）子機は、どのような方式で接続しても良く、全てをイーサネット接続方式等で通信可能に接続しても良い。
（７）親機と子機の間は、有線に限らず無線による通信手段で接続しても良い。
【図面の簡単な説明】
【００２５】
【図１】前扉を閉めた状態を示すスロットマシンの正面図である。
【図２】前扉を開いた状態のスロットマシンに対して、稼働状態信号検出手段を取り付けた状態を示す取付説明図である。
【図３】本発明に係る設定値情報漏洩判定システムの実施の一形態を示すシステム構成図である。
【図４】稼働状態信号の格納手順を示すフローチャートである。
【図５】設定値情報の漏洩判定手順を示すフローチャートである。
【符号の説明】
【００２６】
９・・前扉、１０・・スロットマシン（遊技機）、１１・・本体、１２・・子機（稼働状態信号検出手段）、１３・・親機、１４・・ハブ、１５・・ＤＢサーバ（稼働状態信号格納手段）、１６・・本部ＰＣ、１７・・設定値情報格納手段、１８・・漏洩判定手段、２２・・稼働率算出手段、２３・・割当率算出手段、２７・・外部集中端子板、２８・・一時格納手段、４０・・ＶＰＮ、４３・・信号線、５０・・システム（設定値情報漏洩判定システム）。
【図１】
2008220432.tif 000003
【図２】
2008220432.tif 000004
【図３】
2008220432.tif 000005
【図４】
2008220432.tif 000006
【図５】
2008220432.tif 000007